(57)【要約】【課題】  作業休止時や機械格納時等に回転刃が回転しない回転阻止状態に容易にできる芝刈機を提供すること。【解決手段】  芝刈機本体２の左右位置に設けた車輪５と、この車輪５間の横方向に配置した回転軸７の周りで回転する回転刃８と、この回転刃８との間で芝を刈る固定刃１４とを前記芝刈機本体２に設け、この芝刈機本体２にハンドル支持軸３１に軸支したハンドル３０を設け、このハンドル３０を後側に揺動させた作業位置と、前側に揺動させた格納位置Ｆとの間で揺動可能に構成し、このハンドル３０を格納位置Ｆに揺動させる操作に連動して前記回転刃８の回転を止める係止機構３２を設ける。【選択図】  図１
0003130812.tif 000002
【実用新案登録請求の範囲】
【請求項１】
芝刈機本体の左右位置に設けた車輪と、
該車輪間の横方向に配置した回転軸の周りで回転する回転刃と、
該回転刃との間で芝を刈る固定刃とを前記芝刈機本体に設け、
該芝刈機本体に軸支したハンドルを設け、
該ハンドルを後側に揺動させた作業位置と、前側に揺動させた格納位置との間で揺動可能に構成し、
該ハンドルを格納位置に揺動させる操作に連動して前記回転刃の回転を止める係止機構を設けたことを特徴とする芝刈機。
【請求項２】
前記係止機構に、前記回転刃の回転軸に固定した係止部材と、前記ハンドルに設けた回転止め具とを設け、
該係止部材と回転止め具とを、前記ハンドルを格納位置に揺動させる操作によって前記回転止め具が前記係止部材に係合して回転刃の回転を止める位置に配設した請求項１に記載の芝刈機。
【請求項３】
前記係止部材を、周囲に複数の段部を有する円盤状部材で形成し、
前記回転止め具を、前記ハンドルの基部から前記係止部材に向けて延びる係止爪を先端に有するアーム材で形成した請求項２に記載の芝刈機。
【請求項４】
前記アーム材を弾性体で形成した請求項３に記載の芝刈機。
【請求項５】
前記係止部材を、周囲に複数の段部を有する円盤状部材で形成し、
前記回転止め具を、前記ハンドルの先端部分に回動可能に軸支した基部材と、該基部材から前記係止部材に向けて延びる係止爪を先端に有するアーム材で形成し、
前記基部材と前記ハンドルとの間に前記アーム材の係止爪を前記係止部材に向けて付勢する付勢部材を設けた請求項２に記載の芝刈機。
【請求項６】
前記芝刈機本体側に前記ハンドルを格納位置で保持する保持部材を設けた請求項１〜５のいずれか１項に記載の芝刈機。
【考案の詳細な説明】
【技術分野】
【０００１】
本考案は、家庭や公園等の芝生を刈るために用いられる芝刈機に関し、詳しくは、横方向に配置した回転軸の周りで回転する回転刃と固定刃との間で芝生を刈るリール式の芝刈機に関する。
【背景技術】
【０００２】
従来より、家庭や公園等の芝生を刈るために、芝刈機本体の横方向に配置された回転軸の周りで回転する回転刃と、この回転刃と接するように芝刈機本体に設けられた固定刃との間で芝生を刈るように構成された芝刈機が用いられている。この芝刈機はリール式芝刈機と呼ばれ、芝刈機本体の両側部に設けられた車輪の回転力で回転刃を回転させるように構成された手動式のものがある。
【０００３】
図６は、従来から使用されている一般的な手動式の芝刈機の一例を示す全体斜視図である。図７は、図６に示す芝刈機の主要構成と、刈り高さ調整の例を示す側面視の断面図であり、(a) は刈り高さを高くした状態、(b) は刈り高さを低くした状態を示している。
【０００４】
図６に示すように、このような手動式の芝刈機１０１は、作業者が芝刈機本体１０２に設けられたハンドル１０４を持ち、刈りたい芝生ｍの上で芝刈機本体１０２を移動させて両側部に設けられた車輪１０３を回転させることにより芝生ｍが刈られる。
【０００５】
図７に示すように、この芝生ｍを刈る構造としては、前記車輪１０３を回転させることにより、この車輪１０３の内部に設けられたインターナルギヤ１０５が回転軸１０７に設けられたピニオン１０６を回転させ、この回転軸１０７と一体的に回転刃１０８が回転させられて、芝刈機本体１０２に設けられた固定刃１０９との間で芝生ｍが刈られるようになっている。
【０００６】
また、このような芝刈機１０１には、芝生ｍの刈り高さを調節する刈り高さ調整機構１１０が設けられている。この刈り高さ調整機構１１０は、芝刈機本体１０２の後部に設けられた後ローラ１１１の位置を変更することにより固定刃１０９の高さ位置を変更し、この固定刃１０９と回転刃１０８とによる切断高さを変更して芝生ｍの刈り高さＨを調整するものである。図示する刈り高さ調整機構１１０は、後ローラ１１１を支持する昇降ガイド１１２を、支持軸１１３を中心に回動させて、芝刈機本体１０２に設けられた調整具１１４を昇降ガイド１１２に設けられた調整凹部１１５の所望位置に係止するものである。この刈り高さ調整機構１１０による芝生ｍの刈り高さを調整する作業は、刈る場所や、刈る芝生ｍの高さ等に応じて調整される。図７(a) が、刈り高さＨを高くした状態であり、図７(b) が、刈り高さＨを低くした状態である。
【０００７】
なお、この種の手動式芝刈機において、作業休止時や機械格納時等の不使用時には、回転刃が回転しないようにブレーキを掛けるようにしたものがある（例えば、特許文献１参照）。
【特許文献１】実開昭５３−１５９９５４号公報
【考案の開示】
【考案が解決しようとする課題】
【０００８】
ところで、前記したように、芝生ｍの刈り高さＨは刈る場所や刈る芝生ｍの高さ等に応じて調整されるが、通常、一度刈り高さを決めると、その刈り高さで常に刈りたい場合が多く、刈り高さの変更は頻繁に行われるものではない。そのため、前記刈り高さ調整機構１１０による芝生ｍの刈り高さ調整作業は、通常あまり行われない。
【０００９】
しかしながら、前記特許文献１の場合、回転刃にブレーキを掛けるためには、前記図７に示す芝の刈り高さＨの調整作業と同様の後ローラ１１１の高さ調整作業を、作業休止時や機械格納時等においても毎回行わなければならず、非常に手間が掛かる。
【００１０】
しかも、本来、刈り高さを調整するための作業であるため、作業休止時や機械格納時等にブレーキを掛け忘れる可能性が高い。
【００１１】
そこで、本考案は、作業休止時や機械格納時等に回転刃が回転しない回転阻止状態に容易にできる芝刈機を提供することを目的とする。
【課題を解決するための手段】
【００１２】
前記目的を達成するために、本考案は、芝刈機本体の左右位置に設けた車輪と、該車輪間の横方向に配置した回転軸の周りで回転する回転刃と、該回転刃との間で芝を刈る固定刃とを前記芝刈機本体に設け、該芝刈機本体に軸支したハンドルを設け、該ハンドルを後側に揺動させた作業位置と、前側に揺動させた格納位置との間で揺動可能に構成し、該ハンドルを格納位置に揺動させる操作に連動して前記回転刃の回転を止める係止機構を設けている。これにより、ハンドルを格納位置に揺動させる操作に連動して係止機構が回転刃の回転を止めるので、格納時等に行う操作によって容易に回転刃を回転阻止状態にすることができる。
【００１３】
また、前記係止機構に、前記回転刃の回転軸に固定した係止部材と、前記ハンドルに設けた回転止め具とを設け、該係止部材と回転止め具とを、前記ハンドルを格納位置に揺動させる操作によって前記回転止め具が前記係止部材に係合して回転刃の回転を止める位置に配設してもよい。これにより、簡単な構成でハンドルを格納位置へ揺動させる動作に連動して回転刃の回転を止めることができる。
【００１４】
さらに、前記係止部材を、周囲に複数の段部を有する円盤状部材で形成し、前記回転止め具を、前記ハンドルの基部から前記係止部材に向けて延びる係止爪を先端に有するアーム材で形成してもよい。これにより、簡単な構成で回転刃の回転を止める係止機構を構成することができる。
【００１５】
また、前記アーム材を弾性体で形成すれば、係止部材に係止爪が当接した時の衝撃をアーム材の弾性で吸収することができるとともに、係止部材に係止爪が確実に係合していない状態となっても、回転刃が少し回転すればアーム材の弾性によって確実に段部に係合させることができる。
【００１６】
さらに、前記係止部材を、周囲に複数の段部を有する円盤状部材で形成し、前記回転止め具を、前記ハンドルの先端部分に回動可能に軸支した基部材と、該基部材から前記係止部材に向けて延びる係止爪を先端に有するアーム材で形成し、前記基部材と前記ハンドルとの間に前記アーム材の係止爪を前記係止部材に向けて付勢する付勢部材を設けてもよい。これにより、回転止め具の係止爪が係止部材と係合するときに、常にアーム材の先端の係止爪が回転部材側に付勢されているので、係止爪が格納位置で係止部材の段部を外れたとしても、付勢部材の弾性で逃げて隣接する段部への確実な係合ができる。
【００１７】
また、前記芝刈機本体側に、前記ハンドルを格納位置で保持する保持部材を設けてもよい。これにより、ハンドルを格納した状態を安定して保つことができ、安定した回転刃の回転阻止状態を維持することができる。
【考案の効果】
【００１８】
本考案は、作業休止時や機械格納時等に行うハンドルの格納操作により、回転刃が回転しない回転阻止状態に容易にできる芝刈機を提供することが可能となる。
【考案を実施するための最良の形態】
【００１９】
以下、本考案の一実施の形態を図面に基づいて説明する。図１は、本考案の第１実施の形態に係る芝刈機の主要部を示す側面視の断面図であり、図２は、図１の芝刈機の主要部を示す平面図、図３は、図１に示す芝刈機の全体斜視図である。この明細書及び実用新案登録請求の範囲の書類中における、前側、後側は、図１の芝刈機の側面視に示す前側、後側をいう。
【００２０】
図１，２に示すように、芝刈機１には、車輪５を支持する左右両側部のホイール部分３を連結する強度部材である連結部材４等で一体的に形成された芝刈機本体２が設けられており、この芝刈機本体２のホイール部分３に設けられた車輪５は、芝刈機本体２に設けられた車軸６に軸受で回転可能に支持されている。
【００２１】
また、ホイール部分３の間には、横方向に回転軸７（リール軸）が配置されており、この回転軸７と一体的に回転刃８が設けられている。この回転刃８はリール式で構成されており、所定の方向にねじられた複数の刃材９が、回転軸７に設けられた複数の固定板１０の周囲に等間隔で固定されている。図２に示すように、回転軸７の両側部の端部は車輪５の内側に位置し、この端部には車輪５の内部に設けられたインターナルギヤ１１と噛合するピニオンギヤ１２が設けられている。これにより、車輪５が回転することによってインターナルギヤ１１がピニオンギヤ１２を回転させ、このピニオンギヤ１２と一体的に回転する回転軸７と回転刃８とが回転させられる。
【００２２】
一方、前記芝刈機本体２には、前記回転刃８の刃材９と接するように固定刃１４が設けられている。固定刃１４は、芝刈機本体２の横方向に配置された固定刃取付部材１５に取付けられている。この固定刃取付部材１５は、芝刈機本体２に後部が支持軸１６で軸支されており、この支持軸１６を中心に固定刃１４の刃先部１７の微少な位置調整が可能なように構成されている。この固定刃取付部材１５による刃先部１７の位置調整は、芝刈機本体２に設けられた調整具１８をねじ込む、または緩めることによって可能となっている。支持軸１６は、芝刈機本体２の左右を連結する強度部材でもある。
【００２３】
また、芝刈機本体２の後側には、刈り高さ調整機構１９が設けられている。この刈り高さ調整機構１９は、芝刈機本体２の後側で回転して芝刈機１を芝生の上でスムーズに移動させる後ローラ２０の位置を調整することにより前記固定刃１４の高さ位置を変更し、この固定刃１４と回転刃８とによる刈り高さＨを調整することができるようになっている。後ローラ２０は、昇降ガイド２１に設けられたローラ支持軸２２によって回転可能に支持されている。この昇降ガイド２１は、左右が連結棒２３で連結され、前記支持軸１６によって芝刈機本体２に支持されている。
【００２４】
この昇降ガイド２１の上部には、複数の調整凹部２４が設けられており、芝刈機本体２に設けられた調整具２５を所望の調整凹部２４に係合させることにより昇降ガイド２１の位置を固定できるようになっている。この調整具２５は、芝刈機本体２の外側から手で操作できるように構成されており、昇降ガイド２１を介して後ローラ２０を支持軸１６を中心に揺動させて調整具２５を係合させる調整凹部２４の位置を変更することにより、芝刈機本体２に固定された固定刃１４の高さを変更できるようになっている。この固定刃１４の高さを変更することにより、回転刃８とによる刈り高さＨを調整できる。
【００２５】
さらに、この実施の形態では、芝刈機本体２の前部に集草器２６（キャッチャー）が設けられている。この集草器２６は、芝刈機本体２の前部に設けられた前記連結部材４に、前向きに取付けられている。この実施の形態では、芝刈機本体２の前側に集草器２６が設けられた前受方式であるため、前記芝刈機本体２に、固定刃取付部材１５の後部から集草器２６に向けて刈った草を案内する案内カバー２７が設けられている。この集草器２６と前記昇降ガイド２１との間に設けられた連結アーム２９は、昇降ガイド２１の角度変更に応じて集草器２６の角度を変更するものである。
【００２６】
また、前記芝刈機本体２には、後側の上部に延びるハンドル３０が設けられている。このハンドル３０は、芝刈機本体２に設けられたハンドル支持軸３１に支持されており、このハンドル支持軸３１を中心に前後方向に揺動可能となっている。この実施の形態のハンドル３０は、後側に揺動させると作業位置Ｒとなり、前側に揺動させると格納位置Ｆとなる。このハンドル３０の揺動角度は、前記案内カバー２７に設けられた開口２８の範囲で決められている。
【００２７】
そして、このハンドル３０のハンドル支持軸３１で支持された基部には、前記回転刃８の回転を阻止する係止機構３２が設けられている。この係止機構３２は、前記回転軸７に固定された係止部材３３と、ハンドル３０の基部に設けられた回転止め具３４とで構成されている。係止部材３３は、円盤状部材に形成され、回転軸７と一体的に回転するように同軸上に設けられている。この係止部材３３の周囲は凹凸状に形成され、複数の段部３５（凹状部）が設けられている。
【００２８】
前記回転止め具３４は、ハンドル３０の下端から前側に向けて延びるアーム材３６と、このアーム材３６の先端に設けられた係止爪３７とを有する。この係止爪３７は、前記係止部材３３の段部３５と係合する形状に形成されている。この回転止め具３４は、ハンドル支持軸３１よりも回転刃８の軸中心側に位置するハンドル３０に設けられており、ハンドル３０と一体的に固定されている。そして、前記ハンドル３０を格納位置Ｆに揺動させたときに、この回転止め具３４の係止爪３７が係止部材３３の段部３５と係合して回転刃８の回転を止める位置となるように、それぞれが配設されている。
【００２９】
前記アーム材３６としては、剛体でもよいが弾性体を用いてもよい。弾性体を用いることにより、ハンドル３０を格納位置Ｆへ揺動させる操作を乱暴に行ったとしても、アーム材３６が弾性変形して衝撃を吸収することができる。
【００３０】
さらに、前記案内カバー２７の上部には、ハンドル３０を格納位置Ｆに倒した状態を維持できるようにする保持部材３８が設けられている。この保持部材３８は、軸３９で案内カバー２７に支持されており、軸３９を中心に回動させて格納位置Ｆのハンドル３０に引っ掛けることにより、ハンドル３０の格納状態を保つことができる。
【００３１】
以上のように構成された芝刈機１によれば、通常の刈取り作業時には、図３に二点鎖線で示すようにハンドル３０を後側に倒して作業位置Ｒに揺動させると、図１に二点鎖線で示すように回転止め具３４の係止爪３７は係止部材３３の段部３５から外れた状態となるので、回転刃８は回転可能となる。したがって、ハンドル３０を作業者が持って芝刈機本体２とともに車輪５を前進させることにより、車輪５が回転刃８を回転させ、この回転刃８と固定刃１４との間で芝生ｍが刈られる。この刈取り時は、前記図６に示す芝刈機１０１と同じである。
【００３２】
そして、作業休止時や機械格納時等の芝刈機１を格納する時には、図３に示すように、芝刈機１を所望位置で止めた状態でハンドル３０を格納位置Ｆに揺動させることにより、図１に示すように、ハンドル３０の基部に設けられた回転止め具３４のアーム材３６が回転軸７に設けられた係止部材３３に向って回動し、係止爪３７が段部３５に係合する。これにより、係止部材３３の回転が回転止め具３４で止められ、この係止部材３３が固定された回転軸７とともに回転刃８の回転が止められる。この時、前記したように回転止め具３４のアーム材３６が弾性を有する材質で形成されていれば、ハンドル３０を揺動させる操作を乱暴に行ったとしても、アーム材３６が弾性変形して衝撃を吸収し、常に安定した回転刃８の係止ができる。
【００３３】
この状態で、格納位置Ｆのハンドル３０に保持部材３８を引っ掛けてその状態を保持することにより、回転刃８の回転を阻止した状態を保つことができる。このようにすれば、不用意等で芝刈機１を押してしまった場合でも、回転刃８が回転することはない。
【００３４】
したがって、前記芝刈機１によれば、作業休止時や機械格納時等にハンドル３０の揺動操作のみで回転刃８の回転を確実に止めておくことができるので、安定した格納状態を維持することが容易に可能となる。しかも、このようにハンドル３０を揺動させて回転刃８の回転を止めることができるようにすることにより、通常、作業休止時や機械格納時等にはハンドル３０を格納位置に揺動させるので、回転刃８の回転阻止を忘れることなく、確実に行うことができる。その上、作業休止時や機械格納時等に刈り高さ位置を変更しないので、使用時には常に同じ刈り高さで使用することができる。
【００３５】
図４は、本考案の第２実施の形態に係る芝刈機の主要部を示す側面視の断面図であり、図５は、図４に示す芝刈機の主要部を示す平面図である。この第２実施の形態は、第１実施の形態における係止機構３２に関する構成が異なったものであるため、係止機構に関する構成のみを説明し、前記第１実施の形態の芝刈機１と同一の構成には同一符号を付し、その詳細な説明は省略する。
【００３６】
図４，５に示すように、この第２実施の形態の係止機構５２では、回転軸７に固定された係止部材３３は前記第１実施の形態と同一であるが、ハンドル３０の基部に設けられた回転止め具５３が異なっている。この実施の形態の回転止め具５３は、ハンドル３０の基部にハンドル支持部５５が形成され、このハンドル支持部５５に、アーム材３６と一体的に形成された基部材５４が回動可能に設けられている。アーム材３６の先端には、係止爪３７が設けられている。この実施の形態のハンドル支持部５５は、小径部５６と大径部５７との径の異なる２段に形成されており、小径部５６に基部材５４を挿入した状態で、止め輪５８によって抜け止めが図られている。
【００３７】
また、この基部材５４とハンドル３０との間の大径部５７には、基部材５４に設けられた突出部５９とハンドル３０とに端部が係止されたねじりバネ６０が挿入されている。このねじりバネ６０により、基部材５４と一体的に設けられたアーム材３６の先端の係止爪３７が常に前記係止部材３３側に向けて付勢されている。ねじりバネ６０は、アーム材３６の係止爪３７を係止部材３３側に向けて付勢できる手段であればよい。この実施の形態では、係止爪３７に力が作用していない状態（ハンドル３０が作業位置Ｒの状態等）では、ねじりバネ６０で付勢された基部材５４の突出部５９がハンドル３０に当接した状態を保つようにしている。
【００３８】
以上のように構成された係止機構５２を備えた第２実施の形態の芝刈機によれば、ハンドル３０を格納位置Ｆに揺動させたときに係止部材３３の凸部に係止爪３７が当接した場合でも、この係止爪３７とアーム材３６とが基部材５４とともにねじりバネ６０の撓みによって受けることができるので、ハンドル３０を格納位置Ｆに揺動させる操作は安定してできる。そして、車輪５が少し回転することによって係止爪３７が隣接する段部３５に係合するとともに、ねじりバネ６０の撓みが取り去られて通常の係止状態となる。他の作用効果は前記第１実施の形態と同一であるため、その詳細な説明は省略する。
【００３９】
したがって、この第２実施の形態の芝刈機によれば、ハンドル３０の格納操作によって係止機構５２で回転刃８の回転を確実に止めることができるとともに、回転止め具５３の係止爪３７を段部３５に安定して係合させて回転刃８の回転を止めることができる。
【００４０】
なお、前記した各実施の形態における構成を組合わせることは可能であり、芝生の種類や使用条件に応じて適宜組合わせて構成すればよく、この実施の形態に限定されるものではない。
【００４１】
また、前記実施の形態では、前受方式の集草器２６を例に説明したが、後受方式の場合も同様であり、前記実施の形態に限定されるものではない。
【００４２】
さらに、前述した実施の形態は一例を示しており、本考案の要旨を損なわない範囲での種々の変更は可能であり、本考案は前述した実施の形態に限定されるものではない。
【産業上の利用可能性】
【００４３】
本考案に係る芝刈機は、回転軸周りで回転する回転刃と、この回転刃に接する固定刃との間で芝を刈るリール式芝刈機において利用できる。
【図面の簡単な説明】
【００４４】
【図１】本考案の第１実施の形態に係る芝刈機の主要部を示す側面視の断面図である。
【図２】図１に示す芝刈機の主要部を示す平面図である。
【図３】図１に示す芝刈機の全体斜視図である。
【図４】本考案の第２実施の形態に係る芝刈機の主要部を示す側面視の断面図である。
【図５】図４に示す芝刈機の主要部を示す平面図である。
【図６】従来から使用されている一般的な手動式の芝刈機の一例を示す全体斜視図である。
【図７】図６に示す芝刈機の主要構成と、刈り高さ調整の例を示す側面視の断面図であり、(a) は刈り高さを高くした状態、(b) は刈り高さを低くした状態を示している。
【符号の説明】
【００４５】
１…芝刈機
２…芝刈機本体
５…車輪
７…回転軸
８…回転刃
１１…インターナルギヤ
１２…ピニオンギヤ
１４…固定刃
１６…支持軸
１９…刈り高さ調整機構
２０…後ローラ
２１…昇降ガイド
２７…案内カバー
２８…開口
３０…ハンドル
３１…ハンドル支持軸
３２…係止機構
３３…係止部材
３４…回転止め具
３５…段部
３６…アーム材
３７…係止爪
３８…保持部材
５２…係止機構
５３…回転止め具
５４…基部材
５５…ハンドル支持部
５６…小径部
５７…大径部
５９…突出部
６０…ねじりバネ
【図１】
0003130812.tif 000003
【図２】
0003130812.tif 000004
【図３】
0003130812.tif 000005
【図４】
0003130812.tif 000006
【図５】
0003130812.tif 000007
【図６】
0003130812.tif 000008
【図７】
0003130812.tif 000009